(57)【特許請求の範囲】
【請求項１】
水道に連通する一次ポートと、給水装置へ連なる二次ポートと、前記一次ポートから前記二次ポートに流れる水の開閉や流量調節をする弁こまと、前記弁こまを作動させる第一スピンドルと、前記第一スピンドルを内部に含むスピンドルポートを有した止水栓と、前記止水栓の弁こまと前記第一スピンドルを分解離脱せずそのまま使用して前記止水栓から給水分岐する分岐栓と、前記止水栓のスピンドルポート側および二次ポート側のどちらかへの接続を選択して分岐栓を接続する分岐接続手段とを備え、前記分岐栓はスピンドルポートに水密接続する接続ポートと、第一スピンドルを回動するスピンドルユニットと、止水栓から給水分岐するアウトポートユニットとからなり、前記接続ポートの他端には止水栓の二次ポート接続部と同寸法・同形状の給水接続部を設けてなり、前記スピンドルユニットは分岐栓から着脱自在なる構成とし、前記分岐接続手段はスピンドルポートへの接続は前記分岐栓の接続ポートへそのまま接続し、二次ポート側の接続には止水栓の二次ポートと分岐栓の接続ポートを水密接続する接続アダプタを介して接続すると共に前記スピンドルユニットは分岐栓から離脱して使用する構成とした分岐水栓。
【請求項２】
スピンドルユニットは分岐栓本体に内蔵して回動するスピンドル本体と、このスピンドル本体の回動に応じて回動しながら軸方向に摺動する摺動子と、前記摺動子に設けた止水栓の第一スピンドル端部に嵌合するトルク伝達部と、前記摺動子を押圧するばねとを一体に結合してなる請求項１記載の分岐水栓。
【請求項３】
トルク伝達部は、止水栓の第一スピンドル端部のセレーションに嵌合するセレーション溝を設け、前記セレーション溝の直径方向の一部又は上方に縦溝を構成し、前記縦溝に着脱板を着脱自在に装着してなる請求項２記載の分岐水栓。
【発明の詳細な説明】
【０００１】
【発明の属する技術分野】
本発明は、給水装置用の分岐水栓に関するものである。
【０００２】
【従来の技術】
従来より給水装置への給水は、既設の水道配管に設けられた止水栓に、分岐水栓を接続して給水する方法が一般的であり、その代表例を図に基づいて説明する。
【０００３】
図１０は一般家庭のトイレ等に配設している代表的な止水栓の構造断面を示している。
【０００４】
１ａは水道に連なる一次ポートであり、１ｂはトイレのロータンクへ給水するための給水管２を接続する二次ポートである。１ｃは前記二次ポート１ｂの外周にＧ１／２（管用平行ねじ）が切られた二次ポート接続部であり、前記二次ポート１ｂに嵌挿した前記給水管２をパッキン５０を介して袋ナット５１で締結することによって水密接続可能な構成となっている。
【０００５】
７は前記一次ポート１ａから二次ポート１ｂに流れる水の開閉および流量調節をするための弁こまであり、止水栓１のスピンドルポート１６の内部に設けられた台形ねじによって進退する第一スピンドル１５の一端に嵌挿されている。
【０００６】
５はスピンドルキャップ（袋ナット）であり、スピンドルパッキン８およびパッキン保持用の平座金９を介して締結することによってスピンドルポート１６の端部と前記スピンドル１５とを水密可能な構成となっている。そして使用者が前記第一スピンドル１５の他端に設けたマイナス溝１５ｂをマイナスドライバー等の工具で回動することにより前記第一スピンドル１５の一端に嵌挿された弁こま７が進退し、前記一次ポート１ａから二次ポート１ｂに流れる水の開閉および流量調節ができるようになっている。
【０００７】
次に、分岐水栓について図１２を基に説明をする。１２は前記止水栓１から分岐し、洗浄装置本体へ給水するための分岐水栓であり、この分岐水栓１２は、前記スピンドルポート１６に接続する接続ポート１２ａと、洗浄装置本体へ連通するアウトポート１２ｂと、前記止水栓１の第一スピンドル１５を回動操作可能な第二のスピンドル回動手段３７を有している。
【０００８】
前記第二のスピンドル回動手段３７は、第二のスピンドルＩＮ１７と、第二のスピンドルＯＵＴ３８と、コイルスプリング３１と、スピンドルストッパー３９からなり、前記第二のスピンドルＩＮ１７と前記コイルスプリング３１は、前記第二のスピンドルＯＵＴ３８に内挿し、第二のスピンドルＩＮ１７は前記コイルスプリング３１によって軸方向に伸縮するようになっている。また、前記第二のスピンドルＯＵＴ３８を回転させると第二のスピンドルＩＮ１７へ回転トルクが伝わるようにするために、第二のスピンドルＩＮ１７の外周の一面には、平面部を設け、それに対応する第二のスピンドルＯＵＴ３８の外周の一面にも平面部を設けている。
【０００９】
なお前記スピンドルストッパー３９は前記第二のスピンドルＩＮ１７が前記第二のスピンドルＯＵＴ３８から抜けないようにするためのものである。そして第二のスピンドルＯＵＴ３８の一端は分岐水栓本体１２ｃの外部から操作可能な操作部３８ａを有し、第二のスピンドルＩＮ１７の他端１７ａは第一スピンドル１５の端部１５ｂへ回転トルクを伝達するための接続アダプタ３０に嵌挿している。
【００１０】
また、前記止水栓１の第一スピンドル１５の一端に設けてあるマイナス溝１５ｂ以外にセレーション１５ｃがあり、このセレーション１５ｃに取り付ける場合接続アダプタ３０を外してセレーションアダプタ３０ａに交換し、セレーション１５ｃへ嵌挿する必要がある。
【００１１】
３２は、第二のスピンドルＯＵＴ３８と分岐水栓本体１２ｃとをシールするためのＯリングである。３５は前記止水栓１のスピンドルポート１６と分岐水栓１２の接続ポート１２ａとをパッキン３６を介して水密接続するための接続ナットである。
【００１２】
次に図１１および図１３を基に前記止水栓１と前記分岐水栓１２との接続（施工）について説明する。まず、既設の止水栓１の第一スピンドル１５を回転して止水栓１を閉栓し、その状態でスピンドルキャップ５、スピンドルパッキン８、パッキン保持用の平座金９を取り外す（図１１参照）。
【００１３】
次に、第一スピンドル１５の端部形状がマイナス溝１５ｂ又はセレーション１５ｃに応じた回転トルク伝達手段である接続アダプタ３０又はセレーションアダプタ３０ａを選択し装着する。次に分岐水栓１２の接続ポート１２ａを止水栓１のスピンドルポート１６に当接し、接続ナット３５を回してパッキン３６を介して水密接続する。
【００１４】
そして、使用時は前記分岐水栓１２の操作部３８ａを開栓方向に回すと第二のスピンドル回動手段３７の回転は回転トルク伝達手段である接続アダプタ３０又はセレーションアダプタ３０ａを介して第一スピンドル１５に伝達され、第一スピンドル１５および弁こま７が後退し、止水栓１が開栓し、二次ポート１ｂおよびアウトポート１２ｂから各給水系統に給水が開始される。
【００１５】
このように従来の分岐水栓によれば、既設の止水栓１のスピンドルキャップ５とスピンドルパッキン８等を外して、スピンドルポートのねじ部１６ａに前記既設の止水栓の第一スピンドル１５を回動操作可能な第二のスピンドル回動手段３７を内蔵した分岐水栓の接続ポート１２ａを接続（締結）するだけで給水装置本体への給水が可能であった。その結果、既設の止水栓からロータンクに連なる給水管を切断しなくても、また水道の元栓を閉栓しなくてもトイレ内で簡単に給水分岐の施工が出来た。
【００１６】
【発明が解決しようとする課題】
しかし、既設の止水栓は、図１０に示すようなＪＩＳに定められている一般的な止水栓が大半であったが、近年住宅設備の多様化に伴い特殊な止水栓が使用されるケースが増えてきている。
【００１７】
その特殊な止水栓の一例を図１４を基に説明すると、止水栓６０の一次ポート６０ａ、およびトイレのロータンクへ連なる給水管２を接続するための二次ポート６０ｂ、および前記二次ポート６０ｂの外周に切られている管用平行ねじ（Ｇ１／２）、および弁こま７、スピンドル１５は、前記一般的な止水栓と全く同じであるが、スピンドルキャップ６２が前記スピンドルポート６１の内側のねじ部に内装されるタイプであり、前記スピンドルポート６１の外周にねじが設けられていない。
【００１８】
従って、前記従来の分岐水栓１２はねじ形状とねじ寸法が異なるため取り付けが不可となっていた。そのため、図１５に示すような他の従来例の分岐水栓のような構成にせざるを得なかった。
【００１９】
そのために次のような欠点を有していた。
１）施工現場では、既設のトイレの止水栓の種類がどのタイプなのか、現場に足を運んで止水栓の種類を確認する必要があり、そして特殊なタイプの止水栓であった場合は、別の分岐水栓を取り寄せる等の準備が必要となり、非常に煩わしいものであった。
【００２０】
２）また生産および流通の現場では、既設の止水栓の種類別の分岐水栓を在庫して準備する必要があるので煩雑となりコストアップとなっていた。
【００２１】
３）特殊なタイプの止水栓の場合は標準の分岐水栓が不要となり、資源の無駄遣いとなっていた。
【００２２】
【課題を解決するための手段】
本発明は上記課題を解決するために、既設の止水栓と分岐水栓とを接続する際において、止水栓の弁こまと第一スピンドルを分解離脱せずそのまま流用して分岐栓を止水栓のスピンドルポート側へ接続する第一接続手段および止水栓の二次ポート側へ接続する第二接続手段のいずれかの接続手段を選択出来る共用構成部位を有する分岐水栓とするものである。
【００２３】
上記発明によれば、既設の止水栓からの給水分岐は止水栓の種類による施工制限がなく、前記第一接続手段と第二接続手段の接続方法を選択することで取り付け出来るため、給水工事がその場で完結出来る。また止水栓にマッチする分岐水栓の事前調査・準備などの無駄な時間や労力が大幅に削減できるほか、特殊なタイプの止水栓となった場合でも分岐水栓の共用部位を流用出来るので不要な部品が少なくて済み、資源の有効活用が図れる。
【００２４】
【発明の実施の形態】
本発明の請求項１に記載の発明は、水道に連通する一次ポートと、給水装置へ連なる二次ポートと、前記一次ポートから二次ポートに流れる水の開閉や流量調節をする弁こまと、前記弁こまを作動させる第一スピンドルと、前記第一スピンドルを内部に含むスピンドルポートを有した止水栓と、前記止水栓から給水分岐する分岐栓とを備え、前記分岐栓は前記スピンドルポート側または前記二次ポート側へ接続可能としたものである。
【００２５】
そして、既設の止水栓のタイプが一般的な止水栓には前記分岐栓を前記止水栓のスピンドルポート側へ接続する手段を採用することによって、既設の止水栓の二次ポートから既設の給水装置へ接続されている給水管は一切触らなくてもよい（給水管等の切断をしなくてもよい）。また、水道の元栓を閉栓しなくてもトイレ内で簡単に給水工事が出来る。また、既設の止水栓のタイプが特殊な止水栓には、前記分岐水栓を前記止水栓の二次ポート側へ接続する手段を採用することによって給水工事ができる。
【００２６】
このように既設の止水栓のタイプによってスピンドルポート側と二次ポート側のいずれかの接続方法を選択して取付け出来るため、給水分岐工事がその場で完結出来るものである。
【００２７】
さらに本発明の請求項２に記載の発明は、スピンドルポート側に接続した分岐栓は、スピンドルポートに水密接続する接続ポートと、第一スピンドルを回動するスピンドルユニットと、止水栓から給水分岐するアウトポートユニットとを設け、前記スピンドルユニットは分岐栓から着脱自在なる構成としている。
【００２８】
そのため請求項１記載のスピンドルポート側の時は、スピンドルユニットを装着状態で使用し、また二次ポート側の時は、スピンドルユニットを離脱した状態で使用し、この施工に際してスピンドルユニットが簡単に着脱出来ることで迅速に対応出来るものである。
【００２９】
さらに本発明の請求項３に記載の発明は、二次ポート側に接続した分岐栓は、止水栓の二次ポートと分岐栓の接続ポートを水密接続で接続する接続アダプタと、第一スピンドルを回動するスピンドルユニットと、止水栓から給水分岐するアウトポートユニットを設けスピンドルユニットを離脱し、かつ分岐栓の接続ポートの他端に止水栓の二次ポート接続部と同寸法・同形状の給水接続部を設けている。
【００３０】
そのため、スピンドルポート側では給水分岐工事の出来ない止水栓の場合でも、簡単な接続アダプタと、止水栓の二次ポート接続部と同じ給水接続部を設けた分岐栓と、分岐栓からスピンドルユニットを離脱させることで、比較的容易に給水分岐工事が完結出来るものである。
【００３１】
さらに本発明の請求項４に記載の発明は、アウトポートユニットは、分岐栓本体の外周に設けた連通溝と連通溝の両サイドに併設したパッキン材と前記パッキン材を覆うように設けた本体周接部と、前記連通溝に連通する回動ポートを設け、前記回動ポートは前記分岐水栓の軸を中心として、方向が可変出来る構成としている。
【００３２】
そのため、一様でないトイレ内の種々制約条件下（便器の種類・形状、配管の方向、壁との距離など）で、分岐栓の回動ポートに配管接続を行う際に回動ポートの方向が可変できる構成であるので設置自由度が増え接続作業が非常にしやすい。
【００３３】
また本発明の請求項５に記載の発明は、スピンドルユニットは分岐栓本体に内蔵して回動するスピンドル本体と、このスピンドル本体の回動に応じて回動しながら軸方向に摺動する摺動子と、前記摺動子に設けた止水栓の第一スピンドル端部に嵌合するトルク伝達部と、前記摺動子を押圧するばねとを一体に結合した構成としている。
【００３４】
そのため、分岐水栓からスピンドルユニットを外したときに前記各部品が個別に分解しないので作業が簡単であると共に、製造上の組み立て作業も非常に簡単である。
【００３５】
さらに本発明の請求項６に記載の発明は、トルク伝達部は、止水栓の第一スピンドル端部のセレーションに嵌合するセレーション溝を設け、前記セレーション溝の直径方向の一部又は上方に縦溝を構成し、前記縦溝に着脱板を着脱自在に装着したものである。
【００３６】
そのため、マイナス溝とセレーションの両者が存在する既設の一般の止水栓の第一スピンドルの端部の形状に簡単に合致させてトルク伝達が図れるものである。
【００３７】
以下本発明の給水装置用分岐水栓の一実施例を図面に基づいて説明する。
なお、従来例と同一部品には同一符号を付している。
【００３８】
（実施例１）
図８は衛生洗浄装置の斜視図である。１８は洋式便器２０の後部上面に載置固定した衛生洗浄装置であり、大きくは洗浄装置本体１９と、この洗浄装置本体１９に回動自在に設けた便座２１、および便ふた２２とからなっている。前記洗浄装置本体１９には、人体の肛門、局部等を洗浄するための洗浄装置（温水タンク，電磁弁，洗浄ノズルユニット，制御ユニット等）および、洗浄した後、おしりを温風で乾かす乾燥装置（温風ヒータ，ファンモータ，風洞ユニット等）を内蔵している。
【００３９】
次に給水経路について簡単に説明する。１は一次側が水道管に接続され、二次側がロータンク３に連通している止水栓であり、６５は洗浄装置本体１９へ分岐するための分岐水栓である。さらにこの分岐水栓６５の下流には洗浄装置本体１９へ連なる連結管１３が接続し、洗浄装置本体１９へと給水するようになっている。
【００４０】
次に分岐栓６５の構成について図１，図３，図５を基に説明する。分岐栓６５は大きく分けると、分岐栓本体６６と、アウトポートユニット６７と、スピンドルユニット６８から構成している。
【００４１】
前記分岐栓本体６６は鍛造黄銅棒等を素材として切削加工（樹脂成形・鋳造・鍛造・ダイキャスト等他の加工や異なる材料でも良い）により、略円筒形状に形成し、内部の中空水路部６６ａは前記スピンドルユニット６８が内装され、Ｏリング６９により分岐栓本体６６の内壁と前記スピンドルユニット６８の外周が水密を保つようになってあり、指で軽く軸方向に押すと動く程度の嵌合状態としている。
【００４２】
そして前記中空水路部６６ａの入口の接続ポート６６ｂには既設の一般の止水栓１のスピンドルポートねじ部１６ａに螺合する接続ポートねじ（ウイットネジＷ２４山２０）６６ｃを設けている。そしてこのスピンドルポートねじ部１６ａの奥にはスピンドルポートねじ部１６と接続ポート６６ｂとを螺合接続したときに水密にするためのＯリング７０を設けている。
【００４３】
７１は複数のアウトポート穴であり、前記スピンドルユニット６８が内装した状態で水路室７２が保たれる位置に設けており、７３は前記分岐栓本体６６の外周に設けた連通溝であり、この両サイドにはパッキン材７４，７５を併設し、前記アウトポート穴７１から回動ポート６７ａに水路が連なるように構成している。
【００４４】
７６は前記分岐栓本体６６の先端部の操作ポート７７の外周に設けた既設の止水栓の二次ポート接続部と同一の管用平行ねじ（Ｇ１／２）が切られた給水接続部である。なお前記操作ポート７７の開口部および前記スピンドルユニット６８が内装される中空水路部６６ａの内径は既設の止水栓の二次ポートに接続している一般的な給水管２が装着できるような寸法にしている。
【００４５】
前記アウトポートユニット６７は前記分岐栓本体６６の外周に設けた連通溝７３と、この両サイドに併設したパッキン材７４，７５を覆うように設けた本体周接部６７ｂと前記連通溝７３に対する位置に設けた回動ポート６７ａを有している。８８は前記分岐栓本体６６に装着した前記本体周接部６７ｂが外れないようにするための鋼線等からなる規制リングである。そしてこのような構成から前記アウトポートユニット６７は分岐栓本体６６に組み立てた状態で回動ポート６７ａの方向は分岐栓の軸センタＸを中心として３６０度フリーな位置に回転出来る構成となっている。前記回動ポート６７ａには洗浄装置本体１９（図８）へ連なる連結管１３（図８）が接続するようになっている。
【００４６】
次にスピンドルユニット６８について図４を基に説明する。図４（ア）はスピンドルユニット６８の組み立て断面を示しており、スピンドル本体７８（図４（イ）に示す）と、摺動子７９（図４（ウ）に示す）と、ばね８０とからなり、前記摺動子７９は既設の止水栓１の第一スピンドルの端部のマイナス溝１５ｂのスリットに嵌合して回動トルクを伝えるための着脱板８１を有しており、この着脱板８１は例えば板厚がｔ１．２ミリのステンレス鋼板等からなり、前記摺動子７９の外周に延出した縦溝７９ｆに両端を挿入し、簡単に着脱できるようになっている。また７９ｅは着脱板８１を外した部分に設けているセレーション溝であり、一般的なハンドル付の止水栓のハンドルを外した第一スピンドルに設けられているセレーション１５ｃと嵌合するようになっている。
【００４７】
また前記摺動子７９は前記スピンドル本体７８に内装され、軸方向に摺動するとともに前記スピンドル本体７８を回動させると前記既設の止水栓１の第一スピンドル１５に回動トルクが伝わるようにするために前記縦溝７９ｆに対応する外郭部に回転規制ガイド７９ａ，７９ｂ（複数）を有している。
【００４８】
７９ｃは前記スピンドル本体７８に前記摺動子７９を内装したときにばねの押圧力で外れないようにするための解体規制突起である。
【００４９】
また前記スピンドル本体７８は前記ばね８０と前記摺動子７９を内装し、外郭には前記摺動子７９の回転規制ガイド７９ａ，７９ｂに対応して嵌合する摺動スリット７８ａ，７８ｂ（複数）を設けている。７８ｃは前記摺動子７９の解体規制突起７９ｃが摺動するときのガイド穴である。７８ｄはＯリング溝であり、Ｏリング８２を装着している。７８ｅは前記スピンドル本体７８の端部に設けたマイナスドライバーの先が嵌合するように設けた操作溝である。
【００５０】
そして次に、既設の止水栓１と前記分岐栓６５の接続方法について説明する。まず図８に示す一般的な止水栓１に接続する場合（第一接続手段）について説明する。図９に示すように、既設の止水栓１の第一スピンドル１５を回動して止水栓１を閉栓し、その状態でスピンドルキャップ５，スピンドルパッキン８，パッキン保持用の座金９を取り外す。
【００５１】
そしてその状態の止水栓１のスピンドルポートのねじ部１６に、前記スピンドルユニット６８を内装した分岐栓６５の接続ポートねじ６６ｃを螺合接続する（図１および図８の状態となる）。そして前記スピンドル本体７８の端部に設けた操作溝７８ｅをマイナスドライバーで回動することによって前記摺動子７９にトルクが伝達され、そして既設の止水栓１の第一スピンドル１５の端部にあるマイナス溝１５ｂに、前記着脱板８１が嵌合し、回動して前記既設の止水栓１の第一スピンドル１５にトルクが伝わり、台形ねじによって前記第一スピンドル１５の他端部に挿入した弁こま７が進退し、前記止水栓１の一次ポート１ａから二次ポート１ｂに流れる水の開閉および流量調節をする。
【００５２】
そして、第一スピンドル１５の全長寸法が多少ばらついても前記スピンドルユニット６８に内装している前記ばね８０によって前記摺動子７９を第一スピンドル１５側へ常に押しているので嵌合部が離れることなく、確実にトルク伝達ができるものである。
【００５３】
次に図１４に示すような特殊なタイプの止水栓６０に接続する場合（第二接続手段）について説明する。
【００５４】
まず止水栓６０の二次ポート６０ｂに接続している既設の給水管２の両端の袋ナットを緩めて、前記給水管２を取り外す。そして前記給水管２の止水栓６０側の端部のＬ寸法分（図２参照）を切断する。次に止水栓６０の二次ポート６０ｂに接続アダプタ８３を平パッキン８４を介して取り付ける。
【００５５】
前記接続アダプタ８３は一方が管用平行ねじ（Ｇ１／２）を有し、前記止水栓６０の二次ポート６０ｂの外周に切られている管用平行ねじ（Ｇ１／２）に螺合するようになっており、他方はウイットネジ（Ｗ２４山２０）を有し、前記分岐栓６６の接続ポートねじ（ウイットネジ（Ｗ２４山２０））６６ｃに螺合するようになっている。８３ａはこの前記接続アダプタ８３の上端部に設けた水路スリットであり、前記給水管２の端部と前記接続アダプタ８３の上端面が密着し水路が閉塞されないように設けている。
【００５６】
次に前記分岐栓６６に内装している前記スピンドルユニット６８を取り外して前記分岐栓内に中空水路６６ａを形成する。そして、そこへ前記Ｌ寸法分切断した給水管２を挿入して既設の袋ナット８５でパッキン８６を介して前記分岐水栓本体の管用平行ねじ（Ｇ１／２）が切られた給水接続部７６に締結する。また、前記給水管２の他端も元通りロータンク側に接続する。（施工完成状態を図９に示す）。
【００５７】
（実施例２）
図６は、前記既設の特殊なタイプの止水栓６０に接続する場合（第二接続手段）の第２の実施例について示している。実施例１では給水管２をＬ寸法分切断するものであったがそれに代わって、あらかじめ前記分岐水栓６６のアウトポート穴７１に対応する位置の給水管２に貫通孔８７をあける方法であり、給水管２を切断する必要がないため簡単に施工できるものである（施工完成状態を図９に示す）。
【００５８】
（実施例３）
図７は、前記既設の特殊なタイプの止水栓６０に接続する場合（第二接続手段）の第３の実施例について示している。実施例１では給水管２をＬ寸法分切断するものであったがそれに代わって、あらかじめ前記分岐栓６６のアウトポート穴７１に対応する位置に近接する給水管２の一部を変形させて通水路８８を確保する方法であり、実施例３と同様に給水管２を切断する必要がないため簡単に施工できるものである（施工完成状態を図９に示す）。
【００５９】
なお、本発明は衛生洗浄装置を基本に説明してきたが、これに限らず他の給水機器，給水装置への分岐給水に関しても同様である。
【００６０】
【発明の効果】
従来、既設のトイレの止水栓が特殊なタイプの場合は、別の分岐水栓を準備しないと取付け不可能であったが、本発明の分岐水栓によると、接続方法を変えることにより、一般的な止水栓はもとより、特殊な止水栓であっても簡単に取付けが出来る。また既設の止水栓に内臓しているスピンドルと弁こまを分解離脱することなくそのまま工事前に閉栓した状態で分岐栓の接続工事が出来るので戸別の元栓を締める必要がなくトイレ内で工事が完結できるものであり、給水装置への給水分岐工事が非常にやりやすくなるものであり、以下の効果を奏する。
【００６１】
（１）止水栓の種類に関係なく、一つの分岐水栓でスピンドルポート側または二次ポート側のどちらかの施工方法により、その場で給水工事が完結できるようになった。そのため、施工できるか否かの不安がなくなり精神的負担が非常に少なくなった。
【００６２】
（２）施工準備のために既設の止水栓の種類調査や、止水栓にマッチする分岐水栓の事前準備が不要となり、またトイレ内で工事が完結できるため個別の元栓の場所を探す煩わしさや分岐水栓の接続工事中の他の給水設備（炊事場、風呂、洗濯等）への一時的断水の気遣い等もなく、無駄な時間や労力が大幅に削減できる。
【００６３】
（３）止水栓の種類に対応した止水栓のタイプ別の分岐水栓を準備する必要がないので、生産現場で標準化が図れ量産メリットを生かして低コストで提供できる。
【００６４】
（４）特殊なタイプの止水栓に接続する場合でも、分岐水栓本体を流用できるので不要な部品が少なくて済み、資源の有効活用ができる。
【００６５】
（５）分岐水栓の回動ポートの方向が可変できるため、一様でないトイレの種々制約条件下でも施工の自由度が増え配管の接続作業が非常に容易に行える。
【００６６】
（６）分岐水栓のスピンドルユニットの各部品は一体で結合されているので、分岐水栓から着脱する際に個々に分解しないため接続作業が簡単で容易に行える。
【００６７】
（７）分岐水栓のスピンドルユニットのトルク伝達部（着脱板）は、既設の止水栓のスピンドル端部形状（マイナス溝タイプおよびセレーションタイプ）に対応して着脱できるので、施工現場で止水栓のスピンドル端部形状に応じて簡単に交換できるので接続作業が非常に容易に行える。
【図面の簡単な説明】
【図１】（ア）本発明の一実施例における給水装置用分岐水栓の第一接続手段による取付け完了状態を示す構造断面図
（イ）同実施例の分岐水栓の接続アダプタ
【図２】同分岐水栓の第二接続手段による取付け完了状態を示す構造断面図
【図３】本発明の分岐水栓の構造断面図
【図４】（ア）本発明の分岐水栓に内装しているスピンドルユニット（第二のスピンドル回動手段）の構造断面図
（イ）本発明の分岐水栓に内装しているスピンドルユニット（第二のスピンドル回動手段）のスピンドル本体の外観斜視図
（ウ）本発明の分岐水栓に内装しているスピンドルユニット（第二のスピンドル回動手段）の摺動子および第一スピンドルの端部形状の外観斜視図
【図５】本発明の分岐水栓のスピンドルユニット（第二のスピンドル回動手段）を離脱した分岐水栓の構造断面図
【図６】本発明の第２の実施例における分岐水栓の第二接続手段による第二の実施例の取付け完了状態を示す構造断面図
【図７】本発明の第３の実施例における分岐水栓の第二接続手段による第三の実施例の取付け完了状態を示す構造断面図
【図８】本発明の一実施例における分岐水栓の第一接続手段により衛生洗浄装置に配管した施工完了状態を示す外観斜視図
【図９】同分岐水栓の第二接続手段により衛生洗浄装置に配管した施工完了状態を示す外観斜視図
【図１０】既設の一般的な止水栓の一例を示す構造断面図
【図１１】同止水栓の部品分解例を示す構造断面図
【図１２】（ア）従来の分岐水栓のセレーションを有する接続アダプタを示す図
（イ）従来の分岐水栓の構造断面図
【図１３】同分岐水栓の取付け過程を示す構造断面図
【図１４】既設の特殊な止水栓の一例を示す構造断面図
【図１５】他の従来例を示す分岐水栓の取付け状態を示す構造断面図
【符号の説明】
１  止水栓
１ａ  一次ポート
１ｂ  二次ポート
１ｃ  二次ポート接続部
７  弁こま
１５  第一スピンドル
１６  スピンドルポート
６５  分岐栓
６６  分岐栓本体
６６ａ  中空水路部
６６ｂ  接続ポート
６７  アウトポートユニット
６７ａ  回動ポート
６７ｂ  本体周接部
６８  スピンドルユニット（第二のスピンドル回動手段）
７３  連通溝
７６  給水接続部
７７  操作ポート
７８  スピンドル本体
７９  摺動子
７９ｃ  解体規制突起
７９ｄ  トルク伝達部
８０  ばね
８１  着脱板
８３  接続アダプタ（分岐接続手段）
【図１】
0003587013.tif 000002
【図２】
0003587013.tif 000003
【図３】
0003587013.tif 000004
【図４】
0003587013.tif 000005
【図５】
0003587013.tif 000006
【図６】
0003587013.tif 000007
【図７】
0003587013.tif 000008
【図８】
0003587013.tif 000009
【図９】
0003587013.tif 000010
【図１０】
0003587013.tif 000011
【図１１】
0003587013.tif 000012
【図１２】
0003587013.tif 000013
【図１３】
0003587013.tif 000014
【図１４】
0003587013.tif 000015
【図１５】
0003587013.tif 000016